(57)【要約】【課題】キーボード構造およびキーボードアセンブリ方法を提供する。【解決手段】ベース、キーキャップおよび結合機構を備えるキーボード構造を提供する。キーキャップはベースの上に配設され、結合機構はベースとキーキャップとの間に接続される。結合機構は第１フレームおよび第２フレームを有する。第１フレームはキーキャップに接続されている。第１フレームは２つの対向する側に２つの開口部と２つのガイドスロットを有し、開口部とガイドスロットは対応するように接続されている。第２フレームはベースに対して回動させられる。第１フレームは第２フレームに対して交差するように回動する。第２フレームは２つの対向する側に２つの第２回動アームと２つの開口スロットを有する。回動アームはそれぞれ固定突起部を有し、固定突起部はそれぞれ開口部内で回動する。【選択図】図２
2007128508.tif 000002
【特許請求の範囲】
【請求項１】
キーボード構造であって、
ベースと、
前記ベースの上に配設されたキーキャップと、
前記ベースと前記キーキャップとの間に接続された結合機構とを備え、当該結合機構は、
前記ベースに対して回動する第１フレームであって、当該第１フレームは２つの対向する側に２つの開口部と２つのガイドスロットを有し、当該２つの開口部と当該２つのガイドスロットは対応するように接続されている第１フレームと、
前記キーキャップに接続された第２フレームであって、前記第１フレームと当該第２フレームは交差するように回動し、当該第２フレームは２つの対向する側に２つの第２回動アームと２つの開口スロットを有し、当該回動アームはそれぞれ固定突起部を有し、当該固定突起部はそれぞれ前記開口部内で回動する第２フレームとを有する
キーボード構造。
【請求項２】
前記キーキャップは２つの第１スロットおよび２つの第１固定バンプを有し、前記第２フレームは前記第１スロットに対応する第１回動ロッドを有し、前記第１フレームは前記第１固定バンプに対応する第１摺動ロッドを有する
請求項１に記載のキーボード構造。
【請求項３】
前記ベースは２つの第２スロットと２つの第２固定バンプを有し、前記第１フレームは前記第２スロットに対応する第２回動ロッドを有し、前記第２フレームは前記第２固定バンプに対応する第２摺動ロッドを有する
請求項１に記載のキーボード構造。
【請求項４】
前記第１フレームは２つの第１回動アームを有し、前記開口部は前記第１回動アームを貫通し、前記ガイドスロットは前記第１回動アームの内側に設けられ前記開口部の端部を接続する
請求項１に記載のキーボード構造。
【請求項５】
前記ガイドスロットはＶ字型のスロットである
請求項４に記載のキーボード構造。
【請求項６】
前記固定突起部は前記第２回動アームの外側から突出し、前記開口スロットは前記第２回動アーム中に設けられ、前記回動アームの長さ方向に沿って延伸している
請求項１に記載のキーボード構造。
【請求項７】
前記第２回動アームの、前記固定突起部と前記開口スロットとの間の領域は、弾性的変形部分である
請求項６に記載のキーボード構造。
【請求項８】
キーボードアセンブリ方法であって、
第１フレームと第２フレームを準備することであって、当該第１フレームは前記２つの対向する側に２つの開口部と２つのガイドスロットを有し、当該２つの開口部と当該２つのガイドスロットは対応するように接続され、当該第２フレームは２つの対向する側に２つの第２回動アームと２つの開口スロットを有し、当該第２回動アームはそれぞれ固定突起部を有することと、
前記第２フレームの前記固定突起部を対応する前記ガイドスロットに沿って動かして、前記固定突起部を前記開口部内に配置して、結合機構を形成するべく前記第１フレームを前記第２フレームに対して交差するように回動させることと、
ベースとキーキャップを準備して、前記結合機構を当該ベースと当該キーキャップとの間に接続することとを
含むキーボードアセンブリ方法。
【請求項９】
前記固定突起部を対応する前記ガイドスロットに沿って動かして、前記固定突起部を前記開口部内に配置する前記工程は、機械アームを利用することを含む
請求項８に記載のキーボードアセンブリ方法。
【請求項１０】
前記結合機構を前記ベースと前記キーキャップとの間に接続する前記工程は、
前記第１フレームを前記キーキャップに接続することと、
前記第２フレームを前記ベースに対して回動させることとを含む
請求項８に記載のキーボードアセンブリ方法。
【発明の詳細な説明】
【技術分野】
【０００１】
本発明はキーボード構造およびキーボード構造のアセンブリ方法に関する。より具体的には、本発明は自動アセンブリに適したキーボード構造および自動アセンブリに適したキーボード構造の自動アセンブリ方法に関する。
【背景技術】
【０００２】
技術が発展するとともに、私たちの日常生活では電子製品が広く利用されている。よく利用されている電子装置を挙げると、携帯電話、電子辞書、携帯情報端末（ＰＤＡ）、パソコン（ＰＣ）、ノートブックコンピュータ（ＮＢ）などがある。
【０００３】
ここでＰＣを例にとると、ＰＣにデータを入力するためには通常キーボードが用いられ、便利なことに入力されたデータはＰＣに格納される。図１は、従来のキーボード構造を示す概略図である。図１に示すように、従来のキーボード構造１００は、キーキャップ１１０、ベース１２０およびキーキャップ１１０とベース１２０との間に接続された結合機構１３０を備える。ここで、結合機構１３０は、交差するように回動する２つのフレーム１３２および１３４を有する。キーボード構造１００をアセンブルするにはまず、フレーム１３２および１３４を、結合機構１３０を形成するべく、手動で交差するように回動させ、続いて結合機構１３０はキーキャップ１１０とベース１２０との間に接続される。
【０００４】
しかし、手動でのアセンブリにかかる人件費を削減することができない。また、従来のキーボード構造１００を自動機械でアセンブルすると、キーボード構造に含まれるフレーム１３２および１３４は、構造強度が高いため自動機械の瞬間的な衝撃力に耐えることができないので、フレーム１３４上の固定突起部（不図示）が破損する可能性がある。このため、信頼性が低下してしまう。
【発明の開示】
【発明が解決しようとする課題】
【０００５】
以上の理由から本発明は、人件費を削減するための、自動アセンブリに適したキーボード構造に関する。
【０００６】
本発明の別の実施形態によると、人件費を削減するための自動キーボードアセンブリ方法を提供する。
【課題を解決するための手段】
【０００７】
上記およびそれ以外の目的を達成するべく、本発明はベース、キーキャップおよび結合機構を備えるキーボード構造を提供する。キーキャップはベースの上に配設され、結合機構はベースとキーキャップとの間に接続される。結合機構は第１フレームおよび第２フレームを有する。第１フレームはベースに対して回動し、２つの対向する側に２つの開口部と２つのガイドスロットを有し、開口部とガイドスロットは対応するように接続されている。第２フレームはキーキャップに接続され、第１フレームは第２フレームに対して交差するように回動する。第２フレームは２つの対向する側に２つの第２回動アームと２つの開口スロットを有し、第２回動アームはそれぞれ固定突起部を有し、固定突起部はそれぞれ開口部内で回動する。
【０００８】
本発明の実施形態によると、キーキャップは２つの第１スロットおよび２つの第１固定バンプを有するとしてもよい。第２フレームは第１スロットに対応する第１回動ロッドを有し、第１フレームは第１固定バンプに対応する第１摺動ロッドを有する。
【０００９】
本発明の実施形態によると、ベースは２つの第２スロットと２つの第２固定バンプを有するとしてもよい。第１フレームは第２スロットに対応する第２回動ロッドを有し、第２フレームは第２固定バンプに対応する第２摺動ロッドを有する。
【００１０】
本発明の実施形態によると、第１フレームは２つの第１回動アーム、第１回動アームを貫通する２つの開口部と、第１回動アームの内側に設けられ、開口部の近端を接続する２つのガイドスロットを有するとしてもよい。ガイドスロットはＶ字型のスロットであってもよい。
【００１１】
本発明の実施形態によると、固定突起部は第２回動アームの外側から突出し、開口スロットは第２回動アーム中に設けられ、第２回動アームの長さ方向に沿って延伸している。第２回動アームの、固定突起部と開口スロットとの間の領域は、弾性的変形部分である。
【００１２】
本発明はさらに、以下の工程を含むキーボードアセンブリ方法も提供する。まず、第１フレームと第２フレームを準備する。第１フレームは２つの対向する側に２つの開口部と２つのガイドスロットを有し、２つの開口部と２つのガイドスロットは対応するように接続される。第２フレームは２つの対向する側に２つの回動アームと２つの開口スロットを有し、回動アームはそれぞれ固定突起部を有する。続いて、第２フレームの固定突起部を対応するガイドスロットに沿って動かして、固定突起部を開口部内に配置して、結合機構を形成するべく第１フレームを第２フレームに対して交差するように回動させる。その後に、ベースとキーキャップを準備して、結合機構をベースとキーキャップとの間に接続する。
【００１３】
本発明の実施形態によると、固定突起部を開口部内に配置する方法は、第２フレームを保持して固定突起部を対応するガイドスロットに沿って動かして開口部内に固定突起部を配置するべく、機械アームを利用することを含む。
【００１４】
本発明の実施形態によると、結合機構をベースとキーキャップとの間に接続する方法は、第１フレームをキーキャップに接続することと、第２フレームをベースに対して回動させることとを含むとしてもよい。
【発明の効果】
【００１５】
本発明によると、キーボード構造はガイドスロットおよび弾性的変形部分を有しているので、自動キーボードアセンブリ方法に基づいてキーボード構造をアセンブルする場合に、該キーボード構造の結合機構が破損することはない。このため、アセンブリの信頼性が向上するとともに、人件費が削減される。
【００１６】
上述およびそれ以外の、本発明の目的、特徴および効果を説明するべく、図面を参照しつつ好ましい実施形態を以下で詳細に説明する。
【図面の簡単な説明】
【００１７】
添付の図面は本発明をさらに説明するためのものであり、本明細書に組み込まれるとともにその一部とする。図面は本発明の実施形態を説明するものであって、明細書と併せて、本発明の原則を説明する。
【００１８】
【図１】従来のキーボード構造を示す概略図である。
【００１９】
【図２】本発明の実施形態に係るキーボード構造を示す分解図である。
【００２０】
【図３】本発明の実施形態に係る第１フレームを示す分解図である。
【００２１】
【図４】本発明の実施形態に係る、第２フレームのキーキャップへのアセンブリを示す図である。
【００２２】
【図５】本発明の実施形態に係る、第１フレームと第２フレームが交差して回動する状態を示す図である。
【発明を実施するための最良の形態】
【００２３】
図２は、本発明の実施形態に係るキーボード構造を示す分解図である。図３は、図２に示した第１フレームおよび第２フレームが交差して回動する状態を示す分解図である。図２および図３に示すように、キーボード構造２００は、キーキャップ２１０、ベース２２０および結合機構２３０を備える。キーキャップ２１０はベース２２０の上に設けられ、結合機構２３０はベース２２０およびキーキャップ２１０との間に接続される。結合機構２３０は、第１フレーム２３２および第２フレーム２３４を有する。第１フレーム２３２はベース２２０に対して回動するように設けられる。第１フレーム２３２は、２つの対向する側に２つの開口部２３２ａと２つのガイドスロット２３２ｂを持ち、開口部２３２ａとガイドスロット２３２ｂは対応するように接続されている。第２フレーム２３４はキーキャップ２１０に接続されている。第１フレーム２３２と第２フレーム２３４は、交差するように回動する。また、第２フレーム２３４は２つの対向する側に２つの回動アーム２３４ａと２つの開口スロット２３４ｂを持ち、第２回動アーム２３４ａはそれぞれ、開口部２３２ａ内で回動する固定突起部２３５を持つ。
【００２４】
図２に示すように、キーボード構造２００では、固定突起部２３５は第２回動アーム２３４ａの外側から突出しており、開口スロット２３４ｂは第２回動アーム２３４ａ中に設けられていて、第２回動アーム２３４ａの長さ方向に沿って延伸している。第２回動アーム２３４ａの、固定突起部２３５と開口スロット２３４ｂとの間の領域は、弾性的変形部分である。また第１フレーム２３２は、２つの第１回動アーム２３２ｅ、第１回動アーム２３２ｅを貫通する２つの開口部２３２ａ、ならびに第１回動アーム２３２ｅの内側に設けられ、開口部２３２ａの近端を接続する２つのガイドスロット２３２ｂを持つとしてもよい。
【００２５】
図４は図２に示した第１フレームを示す図で、図５は第２フレームを図２に示したキーキャップにアセンブルする様子を示した図である。図２、図４および図５を参照して詳細に説明すると、キーキャップ２１０は２つの第１スロット２１２および２つの第１固定バンプ２１４を有するとしてもよい（図５を参照のこと）。第２フレーム２３４は第１スロット２１２に係止されるのに適した第１回動ロッド２３４ｃを持つ。第１フレーム２３２は第１摺動ロッド２３４ｃを持ち、第１摺動ロッド２３４ｃの動きは第１固定バンプ２１４によって制限される。ベース２２０は、２つの第２スロット２２２および２つの第２固定バンプ２２４を持つとしてもよい。第１フレーム２３２は、対応するように第２スロット２２２に係止される第１回動ロッド２３２ｄを持つ。第２フレーム２３４は第２摺動ロッド２３４ｄを持ち、第２摺動ロッド２３４ｄの動きは第２固定バンプ２２４によって制限されるのに適している。
【００２６】
次に、キーボード構造２００のアセンブリを以下で説明する。図２および図３に示すように、キーボード構造２００のアセンブリ手順には以下の工程が含まれる。まず、第１フレーム２３２および第２フレーム２３４が準備される。続いて、第２フレーム２３４の固定突起部２３５が、対応するガイドスロット２３２ｂに沿って動かされ、開口部２３２ａに配置される。この結果、第１フレーム２３２が第２フレーム２３４に対して交差するように回動し、結合機構２３０が形成される。ここで、第２フレーム２３４の固定突起部２３５を第１フレーム２３２の開口部２３２ａ内で滑らかに回動させるべく、ガイドスロット２３２ｂは固定突起部２３５の動きをガイドできるＶ字型のスロットとしてもよい（図４を参照のこと）。
【００２７】
また、本実施形態によると、自動アセンブリ方法を用いて、結合機構２３０を形成するべく第１フレーム２３２を第２フレーム２３４に対して交差するように回動させるとしてもよい。つまり、結合機構２３０のアセンブリ方法は、コンベヤベルト（不図示）上に第１フレーム２３２を配置および固定して、機械アーム（不図示）で第２フレーム２３４を保持して、第２フレーム２３４の固定突起部２３５を、対応するガイドスロット２３２ｂに沿って動かして開口部２３２ａに配置するとしてもよい。
【００２８】
ここで、第２フレーム２３４の固定突起部２３５が対応するガイドスロット２３２ｂに沿って動かされ開口部２３２ａに配置される時に、第２フレーム２３４の弾性的変形部分は開口スロット２３４ｂを変形するべく押圧されるのに適している。開口スロット２３４ｂが変形することによって、第２フレーム２３４は押圧力を緩和することができるので、第１フレーム２３２と第２フレーム２３４の破損を防ぐことができる。続いて、第２フレーム２３４は、第１フレーム２３２の２つの第１回動アーム２３２ｅの間を通され、第２フレーム２３４の固定突起部２３５を第１フレーム２３２の開口部２３２ａで回動させ、第１フレーム２３２および第２フレーム２３４が結合機構２３０を形成するべく交差するように回動する。
【００２９】
続いて、ベース２２０およびキーキャップ２１０が準備され、結合機構２３０がベース２２０とキーキャップ２１０との間に接続される。本実施形態によると、結合機構２３０は手動でベース２２０とキーキャップ２１０との間に接続される。言い換えると、アセンブリ担当者は第２フレーム２３４の第２回動ロッド２３４ｄをベース２２０の第２スロット２２２に係止して、第２フレーム２３４をベース２２０に対して回動させる。続いて、アセンブリ担当者はキーキャップ２１０を第１フレーム２３２上に留める。具体的に言うと、第２フレーム２３４の第１摺動ロッド２３４ｃがキーキャップ２１０の第１スロット２１２に係止され、第１フレーム２３２の第１回動ロッド２３２ｃがキーキャップ２１０の第１固定バンプ２１４に係止される。さらに、ベース２２０の第２固定バンプ２２４を用いて第２フレーム２３４の第２回動ロッド２３４ｄの動きを制限することによって、キーボードのキーがすべて、ユーザがキーボードを利用している場合に、同じ高さとする。
【００３０】
要約すると、本発明に係るキーボード構造およびキーボード構造のアセンブリ方法は少なくとも以下の利点を有する：
１．第１フレームが、第２フレームの固定突起部をガイドして開口部に固定するためのガイドスロットを有しているので、第１フレームと第２フレームを結合機構を形成するべく交差するように回動させるのに、自動アセンブリ方法を利用することができる。
２．第２フレームが押圧力を緩和するための弾性的変形部分および開口スロットを有しているので、キーボード構造を自動でアセンブルする場合に第１フレームおよび第２フレームの破損を防ぐことができる。従って、アセンブリ合格率を向上させることができる。
３．自動アセンブリ方法を用いることによって、人件費を削減することができるとともに製品歩留まりを改善することができる。
【００３１】
本発明の構造を、本発明の範囲または目的から離れることなく、さまざまに変形および変更することができるのは、当業者には明らかである。前述の内容に基づき、本願請求項およびそれに類するものの範囲にある限り、本発明の変形および変更も本発明に含めるものとする。
【図１】
2007128508.tif 000003
【図２】
2007128508.tif 000004
【図３】
2007128508.tif 000005
【図４】
2007128508.tif 000006
【図５】
2007128508.tif 000007
【外国語明細書】
2007128508.tif 000008
2007128508.tif 000009
2007128508.tif 000010
2007128508.tif 000011
2007128508.tif 000012
2007128508.tif 000013
2007128508.tif 000014
2007128508.tif 000015
2007128508.tif 000016
2007128508.tif 000017
2007128508.tif 000018
2007128508.tif 000019
2007128508.tif 000020
2007128508.tif 000021
2007128508.tif 000022
2007128508.tif 000023
2007128508.tif 000024
2007128508.tif 000025